(57)【要約】本開示は、マルチホップリレーシステムにおいて専用制御チャネルを利用する様々な方法を提案する。本開示の一実施形態の場合、専用制御チャネルは、マルチホップリレーシステムにおいて通信エンティティをパワー制御するために使用されうる。本開示の別の実施形態の場合、専用制御チャネルの帯域幅リソースは、加入者局においてスリープモードを制御するために利用されうる。さらに本開示の別の実施形態の場合、マルチホップリレーシステムの専用制御チャネルは、マルチキャスト及びブロードキャストのサービスメッセージを送信するために使用されうる。
2012514959.tif 000002
【特許請求の範囲】
【請求項１】
マルチホップリレーシステムにおいて基地局（ＢＳ）によって伝送パワーを制御するための方法であって、
前記ＢＳによってパワー制御された１つまたは複数のアップリンクチャネルに対応する１つまたは複数のダウンリンクチャネルのチャネル品質情報（ＣＱＩ）を、専用アップリンク制御チャネルを使用して前記ＢＳに最も近いリレー局（ＲＳ）から受信することと、
前記アップリンクチャネルのうち１つまたは複数について、受信されたＣＱＩに基づいて、１つまたは複数のパワー制御メッセージを、専用ダウンリンク制御チャネルを使用して最も近いＲＳに対して送信することと、
を備える方法。
【請求項２】
集中型マルチホップリレーシステムにおいてリレー局（ＲＳ）によって伝送パワーを制御するための方法であって、
基地局（ＢＳ）によってパワー制御された１つまたは複数のアップリンクチャネルに対応する１つまたは複数のダウンリンクチャネルのチャネル品質情報（ＣＱＩ）を、１つまたは複数の専用アップリンク制御チャネルを介して前記ＢＳに対して送信することと、
前記ＢＳから、前記ＢＳによってパワー制御された１つまたは複数のアップリンクチャネルについての１つまたは複数のアップリンクチャネルパワー制御メッセージを受信することと、
前記１つまたは複数のアップリンクチャネルパワー制御メッセージを、１つまたは複数の専用ダウンリンク制御チャネルを介して、下位リレー局へ、そして、加入者局（ＳＳ）へ、リレーすることと、
を備える方法。
【請求項３】
前記ＲＳ専用の前記ＲＳにおいて受信された前記パワー制御メッセージにしたがってアップリンク伝送パワーを調節すること、
をさらに備える請求項２に記載の方法。
【請求項４】
分散型マルチホップリレーシステムにおいてリレー局（ＲＳ）によって伝送パワーを制御するための方法であって、
上位ＲＳによってパワー制御された１つまたは複数のアップリンクチャネルに対応する１つまたは複数のダウンリンクチャネルのチャネル品質情報（ＣＱＩ）を、専用アップリンク制御チャネルを使用して前記上位ＲＳに対して送信することと、
前記上位ＲＳによってパワー制御された１つまたは複数のアップリンクチャネルについての１つまたは複数のアップリンクチャネルパワー制御メッセージを、専用ダウンリンク制御チャネルを使用して前記上位ＲＳから受信することと、
前記上位ＲＳによってパワー制御された１つまたは複数のアップリンクチャネルについての前記１つまたは複数のアップリンクチャネルパワー制御メッセージを、専用ダウンリンク制御チャネルを介して下位リレー局のうちの少なくとも１つへリレーすることと、
を備える方法。
【請求項５】
ダウンリンクチャネルを使用して前記ＳＳのアップリンクチャネルについてのパワー制御メッセージを、加入者局（ＳＳ）に対して送信するための手段、
をさらに備える請求項４に記載の方法。
【請求項６】
前記ＲＳ専用のパワー制御メッセージにしたがってアップリンク伝送パワーを調節すること、
をさらに備える請求項４に記載の方法。
【請求項７】
マルチホップリレーシステムにおいて加入者局（ＳＳ）のスリープモードを制御するための方法であって、
専用アップリンク制御チャネルを使用して１つまたは複数のリレー局を介して前記スリープモードへのエントリをリクエストしている基地局（ＢＳ）に対してモバイルスリープリクエストメッセージを送信することと、
専用ダウンリンク制御チャネルを使用して前記１つまたは複数のリレー局を介して前記ＢＳから送られたモバイルスリープ応答メッセージを受信することと、
前記受信されたモバイルスリープ応答メッセージに含まれる情報にしたがって前記ＳＳにおいて前記スリープモードに入ることと、
を備える方法。
【請求項８】
マルチホップリレーシステムにおいて加入者局（ＳＳ）のスリープモードを制御するための方法であって、
専用アップリンク制御チャネルを使用して１つまたは複数のリレー局を介して前記スリープモードへのエントリをリクエストするために、前記ＳＳから送られたモバイルスリープリクエストメッセージを受信することと、
専用ダウンリンク制御チャネルを使用して前記１つまたは複数のリレー局を介して前記ＳＳに対してモバイルスリープ応答メッセージを前記ＢＳから送信することと、
を備える方法。
【請求項９】
マルチホップリレーシステムにおいてマルチキャスト及びブロードキャストサービスを実行するための方法であって、
専用アップリンク制御チャネルを介して前記マルチホップリレーシステムにおける各リレー局（ＲＳ）から、加入者局基本機能リクエストメッセージを基地局（ＢＳ）において受信することと、
受信された加入者局基本機能リクエストメッセージに含まれるそれらのポジションと処理遅延についての情報に基づいて、前記マルチホップリレーシステムにおける各ＲＳの最大累積遅延を前記ＢＳにおいて決定することと、
受信された加入者局基本機能リクエストメッセージに含まれるそれらのポジションと処理遅延についての情報に基づいて、前記マルチホップリレーシステムにおける各ＲＳについての待機時間を前記ＢＳにおいて計算することと、
専用ダウンリンク制御チャネルを介して前記マルチホップリレーシステムにおける１つまたは複数のＲＳに対して加入者局基本機能応答メッセージを前記ＢＳからブロードキャストすることと、
を備える方法。
【請求項１０】
事前の伝送フレームとして、リレーダウンリンクチャネルにわたってマルチキャスト及びブロードキャストデータを前記ＢＳから転送すること、
をさらに備える請求項９に記載の方法。
【請求項１１】
前記マルチホップリレーシステムにおいてすべてのリレー局からトランスファされる前記マルチキャスト及びブロードキャストデータと同時に、対応するアクセスリンクにわたって前記ＢＳから前記マルチキャスト及びブロードキャストデータをトランスファすること、
をさらに備える請求項１０に記載の方法。
【請求項１２】
マルチホップリレーシステムにおいて基地局（ＢＳ）によって伝送パワーを制御するための装置であって、
専用アップリンク制御チャネルを使用して前記ＢＳに最も近いリレー局（ＲＳ）から、前記ＢＳによってパワー制御された１つまたは複数のアップリンクチャネルに対応する１つまたは複数のダウンリンクチャネルのチャネル品質情報（ＣＱＩ）を受信するための論理と、
専用ダウンリンク制御チャネルを使用して最も近いＲＳに対して、前記アップリンクチャネルのうち１つまたは複数について、受信されたＣＱＩに基づいて、１つまたは複数のパワー制御メッセージを送信するための論理と、
を備える装置。
【請求項１３】
集中型マルチホップリレーシステムにおいてリレー局（ＲＳ）によって伝送パワーを制御するための装置であって、
基地局（ＢＳ）によってパワー制御された１つまたは複数のアップリンクチャネルに対応する１つまたは複数のダウンリンクチャネルのチャネル品質情報（ＣＱＩ）を、１つまたは複数の専用アップリンク制御チャネルを介して前記ＢＳに対して、送信するための論理と、
前記ＢＳから、前記ＢＳによってパワー制御された１つまたは複数のアップリンクチャネルについての１つまたは複数のアップリンクチャネルパワー制御メッセージを受信するための論理と、
前記１つまたは複数のアップリンクチャネルパワー制御メッセージを、１つまたは複数の専用ダウンリンク制御チャネルを介して、下位リレー局へ、そして、加入者局（ＳＳ）へ、リレーするための論理と、
を備える装置。
【請求項１４】
前記ＲＳ専用の前記ＲＳにおいて受信された前記パワー制御メッセージ、にしたがってアップリンク伝送パワーを調節するための論理、
をさらに備える請求項１３に記載の装置。
【請求項１５】
分散型マルチホップリレーシステムにおいてリレー局（ＲＳ）によって伝送パワーを制御するための装置であって、
上位ＲＳによってパワー制御された１つまたは複数のアップリンクチャネルに対応する１つまたは複数のダウンリンクチャネルのチャネル品質情報（ＣＱＩ）を、専用アップリンク制御チャネルを使用して前記上位ＲＳに対して送信するための論理と、
前記上位ＲＳによってパワー制御された１つまたは複数のアップリンクチャネルについての１つまたは複数のアップリンクチャネルパワー制御メッセージを、専用ダウンリンク制御チャネルを使用して前記上位ＲＳから受信するための論理と、
前記上位ＲＳによってパワー制御された１つまたは複数のアップリンクチャネルについての前記１つまたは複数のアップリンクチャネルパワー制御メッセージを、専用ダウンリンク制御チャネルを介して、下位リレー局のうちの少なくとも１つへ、リレーするための論理と、
を備える装置。
【請求項１６】
加入者局（ＳＳ）に対して、ダウンリンクチャネルを使用して前記ＳＳのアップリンクチャネルについてのパワー制御メッセージを送信するための論理、
をさらに備える請求項１５に記載の装置。
【請求項１７】
前記ＲＳ専用のパワー制御メッセージにしたがってアップリンク伝送パワーを調節するための論理、
をさらに備える請求項１５に記載の装置。
【請求項１８】
マルチホップリレーシステムにおいて加入者局（ＳＳ）のスリープモードを制御するための装置であって、
専用アップリンク制御チャネルを使用して１つまたは複数のリレー局を介して前記スリープモードへのエントリをリクエストしている基地局（ＢＳ）に対して、モバイルスリープリクエストメッセージを送信するための論理と、
専用ダウンリンク制御チャネルを使用して前記１つまたは複数のリレー局を介して前記ＢＳから送られたモバイルスリープ応答メッセージを受信するための論理と、
前記受信されたモバイルスリープ応答メッセージに含まれる情報にしたがって前記ＳＳにおいて前記スリープモードに入るための論理と、
を備える装置。
【請求項１９】
マルチホップリレーシステムにおいて加入者局（ＳＳ）のスリープモードを制御するための装置であって、
専用アップリンク制御チャネルを使用して１つまたは複数のリレー局を介して前記スリープモードへのエントリをリクエストするために、前記ＳＳから送られたモバイルスリープリクエストメッセージを受信するための論理と、
専用ダウンリンク制御チャネルを使用して前記１つまたは複数のリレー局を介して前記ＳＳに対して、モバイルスリープ応答メッセージを前記ＢＳから送信するための論理と、
を備える装置。
【請求項２０】
マルチホップリレーシステムにおいてマルチキャスト及びブロードキャストサービスを実行するための装置であって、
専用アップリンク制御チャネルを介して前記マルチホップリレーシステムにおける各リレー局（ＲＳ）から、加入者局基本機能リクエストメッセージを基地局（ＢＳ）において受信するための論理と、
受信された加入者局基本機能リクエストメッセージに含まれるそれらのポジションと処理遅延についての情報に基づいて、前記マルチホップリレーシステムにおける各ＲＳの最大累積遅延を前記ＢＳにおいて決定するための論理と、
受信された加入者局基本機能リクエストメッセージに含まれるそれらのポジションと処理遅延についての情報に基づいて、前記マルチホップリレーシステムにおける各ＲＳについての待機時間を前記ＢＳにおいて計算するための論理と、
専用ダウンリンク制御チャネルを介して前記マルチホップリレーシステムにおける１つまたは複数のＲＳに対して加入者局基本機能応答メッセージを前記ＢＳからブロードキャストするための論理と、
を備える装置。
【請求項２１】
事前の伝送フレームとしてリレーダウンリンクチャネルにわたってマルチキャスト及びブロードキャストデータを前記ＢＳから転送するための論理、
をさらに備える請求項２０に記載の装置。
【請求項２２】
前記マルチホップリレーシステムにおいてすべてのリレー局からトランスファされる前記マルチキャスト及びブロードキャストデータと同時に、対応するアクセスリンクにわたって前記ＢＳから前記マルチキャスト及びブロードキャストデータをトランスファするための論理、
をさらに備える請求項２１に記載の装置。
【請求項２３】
マルチホップリレーシステムにおいて基地局（ＢＳ）によって伝送パワーを制御するための装置であって、
専用アップリンク制御チャネルを使用して前記ＢＳに最も近いリレー局（ＲＳ）から、前記ＢＳによってパワー制御された１つまたは複数のアップリンクチャネルに対応する１つまたは複数のダウンリンクチャネルのチャネル品質情報（ＣＱＩ）を受信するための手段と、
専用ダウンリンク制御チャネルを使用して最も近いＲＳに対して、前記アップリンクチャネルのうち１つまたは複数について、受信されたＣＱＩに基づいて、１つまたは複数のパワー制御メッセージを送信するための手段と、
を備える装置。
【請求項２４】
集中型マルチホップリレーシステムにおいてリレー局（ＲＳ）によって伝送パワーを制御するための装置であって、
基地局（ＢＳ）によってパワー制御された１つまたは複数のアップリンクチャネルに対応する１つまたは複数のダウンリンクチャネルのチャネル品質情報（ＣＱＩ）を、１つまたは複数の専用アップリンク制御チャネルを介して前記ＢＳに対して、送信するための手段と、
前記ＢＳから、前記ＢＳによってパワー制御された１つまたは複数のアップリンクチャネルについての１つまたは複数のアップリンクチャネルパワー制御メッセージを受信するための手段と、
前記１つまたは複数のアップリンクチャネルパワー制御メッセージを、１つまたは複数の専用ダウンリンク制御チャネルを介して、下位リレー局へ、そして、加入者局（ＳＳ）へ、リレーするための手段と、
を備える装置。
【請求項２５】
前記ＲＳ専用の前記ＲＳにおいて受信された前記パワー制御メッセージにしたがってアップリンク伝送パワーを調節するための手段、
をさらに備える請求項２４に記載の装置。
【請求項２６】
分散型マルチホップリレーシステムにおいてリレー局（ＲＳ）によって伝送パワーを制御するための装置であって、
上位ＲＳによってパワー制御された１つまたは複数のアップリンクチャネルに対応する１つまたは複数のダウンリンクチャネルのチャネル品質情報（ＣＱＩ）を、専用アップリンク制御チャネルを使用して前記上位ＲＳに対して送信するための手段と、
前記上位ＲＳによってパワー制御された１つまたは複数のアップリンクチャネルについての１つまたは複数のアップリンクチャネルパワー制御メッセージを、専用ダウンリンク制御チャネルを使用して前記上位ＲＳから受信するための手段と、
前記上位ＲＳによってパワー制御された１つまたは複数のアップリンクチャネルについての前記１つまたは複数のアップリンクチャネルパワー制御メッセージを、専用ダウンリンク制御チャネルを介して下位リレー局のうちの少なくとも１つへ、リレーするための手段と、
を備える装置。
【請求項２７】
ダウンリンクチャネルを使用して前記ＳＳのアップリンクチャネルについてのパワー制御メッセージを加入者局（ＳＳ）に対して送信するための手段、
をさらに備える請求項２６に記載の装置。
【請求項２８】
前記ＲＳ専用のパワー制御メッセージにしたがってアップリンク伝送パワーを調節するための手段、
をさらに備える請求項２６に記載の装置。
【請求項２９】
マルチホップリレーシステムにおいて加入者局（ＳＳ）のスリープモードを制御するための装置であって、
専用アップリンク制御チャネルを使用して１つまたは複数のリレー局を介して前記スリープモードへのエントリをリクエストしている基地局（ＢＳ）に対して、モバイルスリープリクエストメッセージを送信するための手段と、
専用ダウンリンク制御チャネルを使用して前記１つまたは複数のリレー局を介して前記ＢＳから送られたモバイルスリープ応答メッセージを受信するための手段と、
前記受信されたモバイルスリープ応答メッセージに含まれる情報にしたがって前記ＳＳにおいて前記スリープモードに入るための手段と、
を備える装置。
【請求項３０】
マルチホップリレーシステムにおいて加入者局（ＳＳ）のスリープモードを制御するための装置であって、
専用アップリンク制御チャネルを使用して１つまたは複数のリレー局を介して前記スリープモードへのエントリをリクエストするために、前記ＳＳから送られたモバイルスリープリクエストメッセージを受信するための手段と、
専用ダウンリンク制御チャネルを使用して前記１つまたは複数のリレー局を介して前記ＳＳに対してモバイルスリープ応答メッセージを前記ＢＳから送信するための手段と、
を備える装置。
【請求項３１】
マルチホップリレーシステムにおいてマルチキャスト及びブロードキャストサービスを実行するための装置であって、
専用アップリンク制御チャネルを介して前記マルチホップリレーシステムにおける各リレー局（ＲＳ）から、加入者局基本機能リクエストメッセージを基地局（ＢＳ）において受信するための手段と、
受信された加入者局基本機能リクエストメッセージに含まれるそれらのポジションと処理遅延についての情報に基づいて、前記マルチホップリレーシステムにおける各ＲＳの最大累積遅延を前記ＢＳにおいて決定するための手段と、
受信された加入者局基本機能リクエストメッセージに含まれるそれらのポジションと処理遅延についての情報に基づいて、前記マルチホップリレーシステムにおける各ＲＳについての待機時間を、前記ＢＳにおいて計算するための手段と、
専用ダウンリンク制御チャネルを介し前記マルチホップリレーシステムにおける１つまたは複数のＲＳに対して加入者局基本機能応答メッセージを前記ＢＳからブロードキャストするための手段と、
を備える装置。
【請求項３２】
事前の伝送フレームとしてリレーダウンリンクチャネルにわたってマルチキャスト及びブロードキャストデータを前記ＢＳから転送するための手段、
をさらに備える請求項３１に記載の装置。
【請求項３３】
前記マルチホップリレーシステムにおいてすべてのリレー局からトランスファされる前記マルチキャスト及びブロードキャストデータと同時に、対応するアクセスリンクにわたって前記ＢＳから前記マルチキャスト及びブロードキャストデータをトランスファするための手段、
をさらに備える請求項３２に記載の装置。
【請求項３４】
マルチホップリレーシステムにおいて基地局（ＢＳ）によって伝送パワーを制御するためのコンピュータプログラムプロダクトであって、命令を格納したコンピュータ可読媒体を備え、前記命令は、１つまたは複数のプロセッサによって実行可能であり、前記命令は、
専用アップリンク制御チャネルを使用して前記ＢＳに最も近いリレー局（ＲＳ）から、前記ＢＳによってパワー制御された１つまたは複数のアップリンクチャネルに対応する１つまたは複数のダウンリンクチャネルのチャネル品質情報（ＣＱＩ）を受信するための命令と、
専用ダウンリンク制御チャネルを使用して最も近いＲＳに対して、前記アップリンクチャネルのうち１つまたは複数について、受信されたＣＱＩに基づいて、１つまたは複数のパワー制御メッセージを送信するための命令と、
を備える、
コンピュータプログラムプロダクト。
【請求項３５】
集中型マルチホップリレーシステムにおいてリレー局（ＲＳ）によって伝送パワーを制御するためのコンピュータプログラムプロダクトであって、命令を格納したコンピュータ可読媒体を備え、前記命令は、１つまたは複数のプロセッサによって実行可能であり、前記命令は、
基地局（ＢＳ）によってパワー制御された１つまたは複数のアップリンクチャネルに対応する１つまたは複数のダウンリンクチャネルのチャネル品質情報（ＣＱＩ）を、１つまたは複数の専用アップリンク制御チャネルを介して前記ＢＳに対して送信するための命令と、
前記ＢＳから、前記ＢＳによってパワー制御された１つまたは複数のアップリンクチャネルについての１つまたは複数のアップリンクチャネルパワー制御メッセージを受信するための命令と、
前記１つまたは複数のアップリンクチャネルパワー制御メッセージを、１つまたは複数の専用ダウンリンク制御チャネルを介して、下位リレー局へ、そして、加入者局（ＳＳ）へ、リレーするための命令と、
を備える、
コンピュータプログラムプロダクト。
【請求項３６】
前記命令は、
前記ＲＳ専用の前記ＲＳにおいて受信された前記パワー制御メッセージにしたがって、アップリンク伝送パワーを調節するための命令、
をさらに備える、
請求項３５に記載のコンピュータプログラムプロダクト。
【請求項３７】
分散型マルチホップリレーシステムにおいてリレー局（ＲＳ）によって伝送パワーを制御するためのコンピュータプログラムプロダクトであって、命令を格納したコンピュータ可読媒体を備え、前記命令は、１つまたは複数のプロセッサによって実行可能であり、前記命令は、
上位ＲＳによってパワー制御された１つまたは複数のアップリンクチャネルに対応する１つまたは複数のダウンリンクチャネルのチャネル品質情報（ＣＱＩ）を、専用アップリンク制御チャネルを使用して前記上位ＲＳに対して送信するための命令と、
前記上位ＲＳによってパワー制御された１つまたは複数のアップリンクチャネルについての１つまたは複数のアップリンクチャネルパワー制御メッセージを、専用ダウンリンク制御チャネルを使用して前記上位ＲＳから受信するための命令と、
前記上位ＲＳによってパワー制御された１つまたは複数のアップリンクチャネルについての前記１つまたは複数のアップリンクチャネルパワー制御メッセージを、専用ダウンリンク制御チャネルを介して下位リレー局のうちの少なくとも１つへリレーするための命令と、
を備える、
コンピュータプログラムプロダクト。
【請求項３８】
前記命令は、
ダウンリンクチャネルを使用して前記ＳＳのアップリンクチャネルについてのパワー制御メッセージを加入者局（ＳＳ）に対して送信するための命令、
をさらに備える、
請求項３７に記載のコンピュータプログラムプロダクト。
【請求項３９】
前記命令は、
前記ＲＳ専用のパワー制御メッセージにしたがってアップリンク伝送パワーを調節するための命令、
をさらに備える、
請求項３７に記載のコンピュータプログラムプロダクト。
【請求項４０】
マルチホップリレーシステムにおいて加入者局（ＳＳ）のスリープモードを制御するためのコンピュータプログラムプロダクトであって、命令を格納したコンピュータ可読媒体を備え、前記命令は、１つまたは複数のプロセッサによって実行可能であり、前記命令は、
専用アップリンク制御チャネルを使用して１つまたは複数のリレー局を介して前記スリープモードへのエントリをリクエストしている基地局（ＢＳ）に対して、モバイルスリープリクエストメッセージを送信するための命令と、
専用ダウンリンク制御チャネルを使用して前記１つまたは複数のリレー局を介して前記ＢＳから送られたモバイルスリープ応答メッセージを受信するための命令と、
前記受信されたモバイルスリープ応答メッセージに含まれる情報にしたがって前記ＳＳにおいて前記スリープモードに入るための命令と、
を備える、
コンピュータプログラムプロダクト。
【請求項４１】
マルチホップリレーシステムにおいて加入者局（ＳＳ）のスリープモードを制御するためのコンピュータプログラムプロダクトであって、命令を格納したコンピュータ可読媒体を備え、前記命令は、１つまたは複数のプロセッサによって実行可能であり、前記命令は、
専用アップリンク制御チャネルを使用して１つまたは複数のリレー局を介して前記スリープモードへのエントリをリクエストするために、前記ＳＳから送られたモバイルスリープリクエストメッセージを受信するための命令と、
専用ダウンリンク制御チャネルを使用して前記１つまたは複数のリレー局を介して前記ＳＳに対してモバイルスリープ応答メッセージを前記ＢＳから送信するための命令と、
を備える、
コンピュータプログラムプロダクト。
【請求項４２】
マルチホップリレーシステムにおいてマルチキャスト及びブロードキャストサービスを実行するためのコンピュータプログラムプロダクトであって、命令を格納したコンピュータ可読媒体を備え、前記命令は、１つまたは複数のプロセッサによって実行可能であり、前記命令は、
専用アップリンク制御チャネルを介して前記マルチホップリレーシステムにおける各リレー局（ＲＳ）から、加入者局基本機能リクエストメッセージを基地局（ＢＳ）において受信するための命令と、
受信された加入者局基本機能リクエストメッセージに含まれるそれらのポジションと処理遅延についての情報に基づいて、前記マルチホップリレーシステムにおける各ＲＳの最大累積遅延を前記ＢＳにおいて決定するための命令と、
受信された加入者局基本機能リクエストメッセージに含まれるそれらのポジションと処理遅延についての情報に基づいて、前記マルチホップリレーシステムにおける各ＲＳについての待機時間を前記ＢＳにおいて計算するための命令と、
専用ダウンリンク制御チャネルを介して前記マルチホップリレーシステムにおける１つまたは複数のＲＳに対して加入者局基本機能応答メッセージを前記ＢＳからブロードキャストするための命令と、
を備える、
コンピュータプログラムプロダクト。
【請求項４３】
前記命令は、
事前の伝送フレームとしてリレーダウンリンクチャネルにわたってマルチキャスト及びブロードキャストデータを前記ＢＳから転送するための命令、
をさらに備える、
請求項４２に記載のコンピュータプログラムプロダクト。
【請求項４４】
前記命令は、
前記マルチホップリレーシステムにおけるすべてのリレー局からトランスファされる前記マルチキャスト及びブロードキャストデータと同時に、対応するアクセスリンクにわたって前記ＢＳから前記マルチキャスト及びブロードキャストデータをトランスファするための命令、
をさらに備える、
請求項４３に記載のコンピュータプログラムプロダクト。
【発明の詳細な説明】
【技術分野】
【０００１】
本開示は、一般的には通信に関し、より具体的には、マルチホップリレーシステムにおいて専用制御チャネルを利用するための様々な方法に関する。
【発明の概要】
【０００２】
ある実施形態は、マルチホップリレーシステムにおいて基地局（ＢＳ）によって伝送パワーを制御するための方法を提供する。該方法は、一般的に、専用アップリンク制御チャネルを使用してＢＳに最も近いリレー局（ＲＳ）から、ＢＳによってパワー制御された１つまたは複数のアップリンクチャネルに対応する１つまたは複数のダウンリンクチャネルのチャネル品質情報（ＣＱＩ）を受信することと、専用ダウンリンク制御チャネルを使用して最も近いＲＳに対して、アップリンクチャネルのうち１つまたは複数について、受信されたＣＱＩに基づいて、１つまたは複数のパワー制御メッセージを送信することと、を含む。
【０００３】
ある実施形態は、集中型マルチホップリレーシステムにおいてリレー局（ＲＳ）によって伝送パワーを制御するための方法を提供する。該方法は、一般的に、基地局（ＢＳ）によってパワー制御された１つまたは複数のアップリンクチャネルに対応する１つまたは複数のダウンリンクチャネルのチャネル品質情報（ＣＱＩ）を１つまたは複数の専用アップリンク制御チャネルを介してＢＳに対して送信することと、ＢＳによってパワー制御された１つまたは複数のアップリンクチャネルについての１つまたは複数のアップリンクチャネルパワー制御メッセージをＢＳから受信することと、１つまたは複数のアップリンクチャネルパワー制御メッセージを、１つまたは複数の専用ダウンリンク制御チャネルを介して、下位リレー局(sub-ordinate relay stations)へ、そして、加入者局（ＳＳ）へ、リレーすることと、を含む。
【０００４】
ある実施形態は、分散型マルチホップリレーシステムにおいてリレー局（ＲＳ）によって伝送パワーを制御するための方法を提供する。該方法は、一般的に、上位ＲＳによってパワー制御された１つまたは複数のアップリンクチャネルに対応する１つまたは複数のダウンリンクチャネルのチャネル品質情報（ＣＱＩ）を、専用アップリンク制御チャネルを使用して上位ＲＳに対して送信することと、上位ＲＳによってパワー制御された１つまたは複数のアップリンクチャネルについての１つまたは複数のアップリンクチャネルパワー制御メッセージを、専用ダウンリンク制御チャネルを使用して上位ＲＳから受信することと、上位ＲＳによってパワー制御された１つまたは複数のアップリンクチャネルについての１つまたは複数のアップリンクチャネルパワー制御メッセージを、専用ダウンリンク制御チャネルを介して下位リレー局のうちの少なくとも１つへリレーすることと、を含む。
【０００５】
ある実施形態は、マルチホップリレーシステムにおいて加入者局（ＳＳ）のスリープモードを制御するための方法を提供する。該方法は、一般的に、専用アップリンク制御チャネルを使用して１つまたは複数のリレー局を介してスリープモードへのエントリをリクエストしている基地局（ＢＳ）に対してモバイルスリープリクエストメッセージを送信することと、専用ダウンリンク制御チャネルを使用して１つまたは複数のリレー局を介してＢＳから送られたモバイルスリープ応答メッセージを受信することと、受信されたモバイルスリープ応答メッセージに含まれる情報にしたがってＳＳにおいてスリープモードに入ることと、を含む。
【０００６】
ある実施形態は、マルチホップリレーシステムにおいて加入者局（ＳＳ）のスリープモードを制御するための方法を提供する。該方法は、一般的に、専用アップリンク制御チャネルを使用して１つまたは複数のリレー局を介してスリープモードへのエントリをリクエストするために、ＳＳから送られたモバイルスリープリクエストメッセージを受信することと、専用ダウンリンク制御チャネルを使用して１つまたは複数のリレー局を介してＳＳに対してモバイルスリープ応答メッセージをＢＳから送信することと、を含む。
【０００７】
ある実施形態は、マルチホップリレーシステムにおいてマルチキャスト及びブロードキャストサービスを実行するための方法を提供する。該方法は、一般的に、専用アップリンク制御チャネルを介してマルチホップリレーシステムにおける各リレー局（ＲＳ）から加入者局基本機能リクエストメッセージを基地局（ＢＳ）において受信することと、受信された加入者局基本機能リクエストメッセージに含まれるそれらのポジションと処理遅延についての情報に基づいて、マルチホップリレーシステムにおける各ＲＳの最大累積遅延をＢＳにおいて決定することと、受信された加入者局基本機能リクエストメッセージに含まれるそれらのポジションと処理遅延についての情報に基づいて、マルチホップリレーシステムにおける各ＲＳについての待機時間をＢＳにおいて計算することと、専用ダウンリンク制御チャネルを介してマルチホップリレーシステムにおける１つまたは複数のＲＳに対して加入者局基本機能応答メッセージをＢＳからブロードキャストすることと、を含む。
【０００８】
ある実施形態は、マルチホップリレーシステムにおいて基地局（ＢＳ）によって伝送パワーを制御するための装置を提供する。該装置は、一般的に、専用アップリンク制御チャネルを使用してＢＳに最も近いリレー局（ＲＳ）から、ＢＳによってパワー制御された１つまたは複数のアップリンクチャネルに対応する１つまたは複数のダウンリンクチャネルのチャネル品質情報（ＣＱＩ）を受信するための論理と、専用ダウンリンク制御チャネルを使用して最も近いＲＳに対して、アップリンクチャネルのうちの１つまたは複数について、受信されたＣＱＩに基づいて、パワー制御メッセージを送信するための論理と、を含む。
【０００９】
ある実施形態は、集中型マルチホップリレーシステムにおいてリレー局（ＲＳ）によって伝送パワーを制御するための装置を提供する。該装置は、一般的に、基地局（ＢＳ）によってパワー制御された１つまたは複数のアップリンクチャネルに対応する１つまたは複数のダウンリンクチャネルのチャネル品質情報（ＣＱＩ）を、１つまたは複数の専用アップリンク制御チャネルを介してＢＳに対して、送信するための論理と、ＢＳによってパワー制御された１つまたは複数のアップリンクチャネルについての１つまたは複数のアップリンクチャネルパワー制御メッセージをＢＳから受信するための論理と、１つまたは複数のアップリンクチャネルパワー制御メッセージを、１つまたは複数の専用ダウンリンク制御チャネルを介して、下位リレー局へ、そして、加入者局（ＳＳ）へ、リレーするための論理と、を含む。
【００１０】
ある実施形態は、分散型マルチホップリレーシステムにおいてリレー局（ＲＳ）によって伝送パワーを制御するための装置を提供する。該装置は、一般的に、上位ＲＳによってパワー制御された１つまたは複数のアップリンクチャネルに対応する１つまたは複数のダウンリンクチャネルのチャネル品質情報（ＣＱＩ）を、専用アップリンク制御チャネルを使用して上位ＲＳに対して送信するための論理と、上位ＲＳによってパワー制御された１つまたは複数のアップリンクチャネルについての１つまたは複数のアップリンクチャネルパワー制御メッセージを、専用ダウンリンク制御チャネルを使用して上位ＲＳから受信するための論理と、上位ＲＳによってパワー制御された１つまたは複数のアップリンクチャネルについての１つまたは複数のアップリンクチャネルパワー制御メッセージを、専用ダウンリンク制御チャネルを介して、下位リレー局のうちの少なくとも１つへリレーするための論理と、を含む。
【００１１】
ある実施形態は、マルチホップリレーシステムにおいて加入者局（ＳＳ）のスリープモードを制御するための装置を提供する。該装置は、一般的に、専用アップリンク制御チャネルを使用して１つまたは複数のリレー局を介してスリープモードへのエントリをリクエストしている基地局（ＢＳ）に対してモバイルスリープリクエストメッセージを送信するための論理と、専用ダウンリンク制御チャネルを使用して１つまたは複数のリレー局を介してＢＳから送られたモバイルスリープ応答メッセージを受信するための論理と、受信されたモバイルスリープ応答メッセージに含まれる情報にしたがってＳＳにおいてスリープモードに入るための論理と、を含む。
【００１２】
ある実施形態は、マルチホップリレーシステムにおいて加入者局（ＳＳ）のスリープモードを制御するための装置を提供する。該装置は、一般的に、専用アップリンク制御チャネルを使用して１つまたは複数のリレー局を介してスリープモードへのエントリをリクエストするために、ＳＳから送られたモバイルスリープリクエストメッセージを受信するための論理と、専用ダウンリンク制御チャネルを使用して１つまたは複数のリレー局を介してＳＳに対してモバイルスリープ応答メッセージをＢＳから送信するための論理と、を含む。
【００１３】
ある実施形態は、マルチホップリレーシステムにおいてマルチキャスト及びブロードキャストサービスを実行するための装置を提供する。該装置は、一般的に、専用アップリンク制御チャネルを介してマルチホップリレーシステムにおける各リレー局（ＲＳ）から、加入者局基本機能リクエストメッセージを基地局（ＢＳ）において受信するための論理と、受信された加入者局基本機能リクエストメッセージに含まれるそれらのポジションと処理遅延についての情報に基づいてマルチホップリレーシステムにおける各ＲＳの最大累積遅延をＢＳにおいて決定するための論理と、受信された加入者局基本機能リクエストメッセージに含まれるそれらのポジションと処理遅延についての情報に基づいてマルチホップリレーシステムにおける各ＲＳについての待機時間をＢＳにおいて計算するための論理と、専用ダウンリンク制御チャネルを介してマルチホップリレーシステムにおける１つまたは複数のＲＳに対して加入者局基本機能応答メッセージをＢＳからブロードキャストするための論理と、を含む。
【００１４】
ある実施形態は、マルチホップリレーシステムにおいて基地局（ＢＳ）によって伝送パワーを制御するための装置を提供する。該装置は、一般的に、専用アップリンク制御チャネルを使用してＢＳに最も近いリレー局（ＲＳ）から、ＢＳによってパワー制御された１つまたは複数のアップリンクチャネルに対応する１つまたは複数のダウンリンクチャネルのチャネル品質情報（ＣＱＩ）を受信するための手段と、専用ダウンリンク制御チャネルを使用して最も近いＲＳに対して、アップリンクチャネルのうち１つまたは複数について、受信されたＣＱＩに基づいて、１つまたは複数のパワー制御メッセージを送信するための手段と、を含む。
【００１５】
ある実施形態は、集中型マルチホップリレーシステムにおいてリレー局（ＲＳ）によって伝送パワーを制御するための装置を提供する。該装置は、一般的に、基地局（ＢＳ）によってパワー制御された１つまたは複数のアップリンクチャネルに対応する１つまたは複数のダウンリンクチャネルのチャネル品質情報（ＣＱＩ）を１つまたは複数の専用アップリンク制御チャネルを介してＢＳに対して送信するための手段と、ＢＳによってパワー制御された１つまたは複数のアップリンクチャネルについての１つまたは複数のアップリンクチャネルパワー制御メッセージをＢＳから受信するための手段と、１つまたは複数のアップリンクチャネルパワー制御メッセージを、１つまたは複数の専用ダウンリンク制御チャネルを介して、下位リレー局へ、そして、加入者局（ＳＳ）へ、リレーするための手段と、を含む。
【００１６】
ある実施形態は、分散型マルチホップリレーシステムにおいてリレー局（ＲＳ）によって伝送パワーを制御するための装置を提供する。該装置は、一般的に、上位ＲＳによってパワー制御された１つまたは複数のアップリンクチャネルに対応する１つまたは複数のダウンリンクチャネルのチャネル品質情報（ＣＱＩ）を、専用アップリンク制御チャネルを使用して上位ＲＳに対して送信するための手段と、上位ＲＳによってパワー制御された１つまたは複数のアップリンクチャネルについての１つまたは複数のアップリンクチャネルパワー制御メッセージを、専用ダウンリンク制御チャネルを使用して上位ＲＳから受信するための手段と、上位ＲＳによってパワー制御された１つまたは複数のアップリンクチャネルについての１つまたは複数のアップリンクチャネルパワー制御メッセージを、専用ダウンリンク制御チャネルを介して下位リレー局のうちの少なくとも１つへリレーするための手段と、を含む。
【００１７】
ある実施形態は、マルチホップリレーシステムにおいて加入者局（ＳＳ）のスリープモードを制御するための装置を提供する。該装置は、一般的に、専用アップリンク制御チャネルを使用して１つまたは複数のリレー局を介してスリープモードへのエントリをリクエストしている基地局（ＢＳ）に対してモバイルスリープリクエストメッセージを送信するための手段と、専用ダウンリンク制御チャネルを使用して１つまたは複数のリレー局を介してＢＳから送られたモバイルスリープ応答メッセージを受信するための手段と、受信されたモバイルスリープ応答メッセージに含まれる情報にしたがってＳＳにおいてスリープモードに入るための手段と、を含む。
【００１８】
ある実施形態は、マルチホップリレーシステムにおいて加入者局（ＳＳ）のスリープモードを制御するための装置を提供する。該装置は、一般的に、専用アップリンク制御チャネルを使用して１つまたは複数のリレー局を介してスリープモードへのエントリをリクエストするために、ＳＳから送られたモバイルスリープリクエストメッセージを受信するための手段と、専用ダウンリンク制御チャネルを使用して１つまたは複数のリレー局を介してＳＳに対してモバイルスリープ応答メッセージをＢＳから送信するための手段と、を含む。
【００１９】
ある実施形態は、マルチホップリレーシステムにおいてマルチキャスト及びブロードキャストサービスを実行するための装置を提供する。該装置は、一般的に、専用アップリンク制御チャネルを介してマルチホップリレーシステムにおける各リレー局（ＲＳ）から、加入者局基本機能リクエストメッセージを基地局（ＢＳ）において受信するための手段と、受信された加入者局基本機能リクエストメッセージに含まれるそれらのポジションと処理遅延についての情報に基づいてマルチホップリレーシステムにおける各ＲＳの最大累積遅延をＢＳにおいて決定するための手段と、受信された加入者局基本機能リクエストメッセージに含まれるそれらのポジションと処理遅延についての情報に基づいてマルチホップリレーシステムにおける各ＲＳについての待機時間をＢＳにおいて計算するための手段と、専用ダウンリンク制御チャネルを介してマルチホップリレーシステムにおける１つまたは複数のＲＳに対して加入者局基本機能応答メッセージをＢＳからブロードキャストするための手段と、を含む。
【００２０】
ある実施形態は、マルチホップリレーシステムにおいて基地局（ＢＳ）によって伝送パワーを制御するためのコンピュータプログラムプロダクトを提供し、命令を記憶したコンピュータ可読媒体を備え、該命令は、１つまたは複数のプロセッサによって実行可能である、コンピュータプログラムプロダクトを提供する。該命令は、一般的に、専用アップリンク制御チャネルを使用してＢＳに最も近いリレー局（ＲＳ）から、ＢＳによってパワー制御された１つまたは複数のアップリンクチャネルに対応する１つまたは複数のダウンリンクチャネルのチャネル品質情報（ＣＱＩ）を受信するための命令と、専用ダウンリンク制御チャネルを使用して最も近いＲＳに対して、アップリンクチャネルのうち１つまたは複数について、受信されたＣＱＩに基づいて、１つまたは複数のパワー制御メッセージを送信するための命令と、を含む。
【００２１】
ある実施形態は、集中型マルチホップリレーシステムにおいてリレー局（ＲＳ）によって伝送パワーを制御するためのコンピュータプログラムを提供し、命令を記憶したコンピュータ可読媒体を備え、該命令は、１つまたは複数のプロセッサによって実行可能である。該命令は、一般的に、基地局（ＢＳ）によってパワー制御された１つまたは複数のアップリンクチャネルに対応する１つまたは複数のダウンリンクチャネルのチャネル品質情報（ＣＱＩ）を１つまたは複数の専用アップリンク制御チャネルを介してＢＳに対して送信するための命令と、ＢＳによってパワー制御された１つまたは複数のアップリンクチャネルについての１つまたは複数のアップリンクチャネルパワー制御メッセージをＢＳから受信するための命令と、１つまたは複数のアップリンクチャネルパワー制御メッセージを、１つまたは複数の専用ダウンリンク制御チャネルを介して、下位リレー局へ、そして、加入者局（ＳＳ）へ、リレーするための命令と、を含む。
【００２２】
ある実施形態は、分散型マルチホップリレーシステムにおいてリレー局（ＲＳ）によって伝送パワーを制御するためのコンピュータプログラムを提供し、命令を記憶したコンピュータ可読媒体を備え、該命令は、１つまたは複数のプロセッサによって実行可能である。該命令は、一般的に、上位ＲＳによってパワー制御された１つまたは複数のアップリンクチャネルに対応する１つまたは複数のダウンリンクチャネルのチャネル品質情報（ＣＱＩ）を、専用アップリンク制御チャネルを使用して上位ＲＳに対して送信するための命令と、上位ＲＳによってパワー制御された１つまたは複数のアップリンクチャネルについての１つまたは複数のアップリンクチャネルパワー制御メッセージを、専用ダウンリンク制御チャネルを使用して上位ＲＳから受信するための命令と、上位ＲＳによってパワー制御された１つまたは複数のアップリンクチャネルについての１つまたは複数のアップリンクチャネルパワー制御メッセージを、専用ダウンリンク制御チャネルを介して下位リレー局のうちの少なくとも１つへリレーするための命令と、を含む。
【００２３】
ある実施形態は、マルチホップリレーシステムにおいて加入者局（ＳＳ）のスリープモードを制御するためのコンピュータプログラムを提供し、命令を記憶したコンピュータ可読媒体を備え、該命令は、１つまたは複数のプロセッサによって実行可能である。該命令は、一般的に、専用アップリンク制御チャネルを使用して１つまたは複数のリレー局を介してスリープモードへのエントリをリクエストしている基地局（ＢＳ）に対してモバイルスリープリクエストメッセージを送信するための命令と、専用ダウンリンク制御チャネルを使用して１つまたは複数のリレー局を介してＢＳから送られたモバイルスリープ応答メッセージを受信するための命令と、受信されたモバイルスリープ応答メッセージに含まれる情報にしたがってＳＳにおいてスリープモードに入るための命令と、を含む。
【００２４】
ある実施形態は、マルチホップリレーシステムにおいて加入者局（ＳＳ）のスリープモードを制御するためのコンピュータプログラムを提供し、命令を記憶したコンピュータ可読媒体を備え、該命令は、１つまたは複数のプロセッサによって実行可能である。該命令は、一般的に、専用アップリンク制御チャネルを使用して１つまたは複数のリレー局を介してスリープモードへのエントリをリクエストするために、ＳＳから送られたモバイルスリープリクエストメッセージを受信するための命令と、専用ダウンリンク制御チャネルを使用して１つまたは複数のリレー局を介してＳＳに対してモバイルスリープ応答メッセージをＢＳから送信するための命令と、を含む。
【００２５】
ある実施形態は、マルチホップリレーシステムにおいてマルチキャスト及びブロードキャストサービスを実行するためのコンピュータプログラムを提供し、命令を記憶したコンピュータ可読媒体を備え、該命令は、１つまたは複数のプロセッサによって実行可能である。該命令は、一般的に、専用アップリンク制御チャネルを介してマルチホップリレーシステムにおける各リレー局（ＲＳ）から、加入者局基本機能リクエストメッセージを基地局（ＢＳ）において受信するための命令と、受信された加入者局基本機能リクエストメッセージに含まれるそれらのポジションと処理遅延についての情報に基づいてマルチホップリレーシステムにおける各ＲＳの最大累積遅延をＢＳにおいて決定するための命令と、受信された加入者局基本機能リクエストメッセージに含まれるそれらのポジションと処理遅延についての情報に基づいてマルチホップリレーシステムにおける各ＲＳについての待機時間をＢＳにおいて計算するための命令と、専用ダウンリンク制御チャネルを介してマルチホップリレーシステムにおいて１つまたは複数のＲＳに対して加入者局基本機能応答メッセージをＢＳからブロードキャストするための命令と、を含む。
【００２６】
本開示の上述された特徴が詳細に理解されうるように、上記で簡潔に要約されたより具体的な説明は、実施形態を参照することによってなされ、それらのうちのいくつかは、添付図面において図示されている。しかしながら、添付図面は、本開示のある典型的な実施形態のみを図示しており、したがって、その範囲を限定するものとみなされないということは留意されたい、なぜならば、本願の説明は他の同等である効果的な実施形態を認めうるからである。
【図面の簡単な説明】
【００２７】
【図１】図１は、マルチホップリレーをサポートする無線通信システムを示す。
【図２】図２は、本開示のある実施形態にしたがった、専用チャネル割り付けを通じたマルチホップ送信を示す。
【図３】図３は、本開示のある実施形態にしたがった、専用制御チャネルを使用してリレー局（ＲＳ）から基地局（ＢＳ）までの制御メッセージ送信の例を示す。
【図４】図４は、本開示のある実施形態にしたがった、集中型マルチホップリレーシステムにおいてパワー制御のために専用制御チャネルを使用するためのオペレーションの例を図示する。
【図４Ａ】図４Ａは、図４で図示されたオペレーションを実行することができるコンポーネントの例を図示する。
【図５】図５は、本開示のある実施形態にしたがった、分散型マルチホップリレーシステムにおいてパワー制御のために専用制御チャネルを使用するためのオペレーションの例を図示する。
【図５Ａ】図５Ａは、図５で図示されたオペレーションを実行することができるコンポーネントの例を図示する。
【図６】図６は、本開示のある実施形態にしたがった、マルチホップリレーシステムにおいて加入者局（ＳＳ）のスリープモードを制御するために専用制御チャネルを使用するためのオペレーションの例を図示する。
【図６Ａ】図６Ａは、図６で図示されたオペレーションを実行することができるコンポーネントの例を図示する。
【図７】図７は、本開示のある実施形態にしたがった、マルチホップリレーシステムにおいてマルチキャスト及びブロードキャストサービスを実行するために専用制御チャネルを使用するためのオペレーションの例を図示する。
【図７Ａ】図７Ａは、図７で図示されたオペレーションを実行することができるコンポーネントの例を図示する。
【詳細な説明】
【００２８】
用語「例示的な(exemplary)」は、「例(example)、インスタンス(instance)、又は例証(illustration)として機能していること」を意味するように、ここでは使用されている。「例示的(exemplary)」としてここに説明される任意の実施形態も、他の実施形態よりも好まれるまたは有利であると必ずしも解釈されない。
【００２９】
無線通信システムは、音声、ビデオ、データ、パケットデータ、メッセージング、ブロードキャスト等のような様々な通信サービスを提供するように広く展開されている。これらの無線システムは、利用可能なシステムリソースを共有することによって、複数ユーザをサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、及びシングルキャリアＦＤＭＡ（ＳＣ−ＦＤＭＡ）システムを含む。無線システムは、テレコミュニケーションの分野において成長領域として確立している。現在のトレンド及び需要は、保証されたサービスの品質（ＱｏＳ）を備える、音声、ビデオ、インタラクティブゲームなどのようなマルチメディアサービスを配信することである。高いデータ送信機能は、高い品質のマルチメディアサービスをサポートするために望ましい。
【００３０】
無線通信システムは、カバレッジ及び/または性能を改善するために、マルチホップリレーをサポートすることができる。マルチホップリレーを用いて、基地局（ＢＳ）は、１つまたは複数のリレー局を介して、加入者局装置（ＳＳ）に対してデータを送信することができる。各リレー局（ＲＳ）は、アップストリーム局（例、基地局または別のリレー局）からデータを受信することができ、ダウンストリーム局（例、加入者局または別のリレー局）に対してデータを再送信することができる。アップストリームリレー局は、上位リレー局(super-ordinate relay station)と呼ばれてもよく、ダウンストリームリレー局は、下位リレー局(sub-ordinate relay station)と呼ばれてもよい。ある局から別の局への送信は、ホップ(hop)とみなされる。各リレー局が効率的な方法でデータを再送信することが望ましい。
【００３１】
リレー局は、その特定リレー局に対してアップリンク帯域幅リソースとダウンリンク帯域幅リソースを周期的に割り付けることによって、加入者局に対して、他のリレー局に対して、または、基地局に対して、のいずれかに対して、マルチホップリレーネットワークの管理に必要な制御メッセージを送信することができる。専用制御チャネルの割り付けは、送信する制御メッセージがあるときにはいつでも、チャネル帯域幅をリクエストすることなくリレー局が制御メッセージを送信することを可能にし、そしてそれは、送信レイテンシを減らし、マルチホップリレーシステムの全体的な性能を改善する。
【００３２】
例示的な無線通信システム(Exemplary Wireless Communication System)
ここにおいて説明される技術は、直交多重化スキームに基づく通信システムを含む、様々なブロードバンド無線通信システムに使用されうる。そのような通信システムの例は、直交周波数分割多元接続（ＯＦＤＭＡ）システム、シングルキャリア周波数分割多元接続（ＳＣ−ＦＤＭＡ）システムなどを含む。ＯＦＤＭＡシステムは、直交周波数分割多重化（ＯＦＤＭ）を利用し、そしてそれは、全体システムの帯域幅を複数の直交サブキャリアへと区分する変調技術である。これらのサブキャリアはまた、トーン、ビン、などと呼ばれることができる。ＯＦＤＭを用いて、各サブキャリアは、データで独立して変調されうる。ＳＣ−ＦＤＭＡシステムは、システム帯域幅にわたって分散されるサブキャリア上で送信するインタリーブＦＤＭＡ(interleaved FDMA)(ＩＦＤＭＡ)、隣接するサブキャリアのブロック上で送信するローカライズされたＦＤＭＡ(localized FDMA)(ＬＦＤＭＡ)、または、隣接するサブキャリアの複数ブロック上で送信する強化ＦＤＭＡ(enhanced FDMA)(ＥＦＤＭＡ)、を利用することができる。一般に、変調シンボルは、ＯＦＤＭを用いて周波数ドメインで送られ、ＳＣ−ＦＤＭＡを用いて時間ドメインで送られる。
【００３３】
直交多重化スキームに基づく通信システムの１つの具体的な例は、ＷｉＭＡＸシステムである。ＷｉＭＡＸとは、Worldwide Interoperability for Microwave Accessを表し、長距離におけるハイスループットブロードバンド接続を提供するスタンダードベースのブロードバンド無線技術である。今日ＷｉＭＡＸには、固定ＷｉＭＡＸとモバイルＷｉＭＡＸという２つのメインアプリケーションがある。固定ＷｉＭＡＸアプリケーションは、ポイント・ツー・マルチポイントであり、例えば、自宅と職場へのブロードバンドアクセスを可能にする。モバイルＷｉＭＡＸは、ブロードバンドスピードのセルラーネットワークの十分なモビリティを提供する。
【００３４】
ＩＥＥＥ８０２．１６ｘは、固定及びモバイルのブロードバンド無線アクセス（ＢＷＡ）システム用の無線インタフェースを規定する新興標準規格団体である。これらの標準規格は、少なくとも４つの異なる物理層（ＰＨＹ）と１つのメディアアクセス制御（ＭＡＣ）層を規定する。４つの物理層のうちＯＦＤＭ物理層とＯＦＤＭＡ物理層は、それぞれ、固定及びモバイルＢＷＡエリアにおいて最も一般的である。
【００３５】
図１は、マルチホップリレーをサポートする無線通信システム１００を示す。簡略化のために、図１は、１つの基地局（ＢＳ）１１０と、３つのリレー局（ＲＳ）１２０、１２２、および１２４と、そして２つの加入者局（ＳＳ）１３０および１３２のみを示す。一般に、システムは、任意の数の加入者局のための通信をサポートする、任意の数のリレー局と任意の数の基地局とを含むことができる。基地局は、加入者局のための通信をサポートする局である。基地局は、リレー局および加入者局の、接続、管理、および制御のような機能を実行することができる。基地局は、ノードＢ、発展型ノードＢ、アクセスポイントなどとも呼ばれる。リレー局は、他のリレー局および／または加入者局に対して接続性を提供する局である。リレー局はまた、下位リレー局及び／または加入者局の管理及び制御を提供することができる。リレー局と加入者局との間の無線インタフェースは、基地局と加入者局との間の無線インタフェースと同一でありうる。基地局は、様々なサービスをサポートするために、バックホール（図１で図示されず）を介してコアネットワークに結合されうる。リレー局は、バックホールに直接結合されてもよく、または、結合されなくてもよく、また、そのリレー局を介したマルチホップ通信をサポートするために制限された機能を有することができる。
【００３６】
加入者局はシステム全体にわたって分散されていてもよく、各加入者局は静的またはモバイルでありうる。加入者局はまた、モバイル局、端末、アクセス端末、ユーザ機器、加入者ユニット、局、などとも呼ばれる。加入者局は、セルラー電話、携帯情報端末（ＰＤＡ）、無線デバイス、無線モデム、ハンドヘルドデバイス、ラップトップコンピュータ、コードレス電話などでありうる。加入者局は、ダウンリンク（ＤＬ）およびアップリンク（ＵＬ）を介して基地局及び／またはリレー局と通信することができる。ダウンリンク（または順方向リンク）は、基地局またはリレー局から加入者局までの通信リンクを指す。アップリンク（または逆方向リンク）は、加入者局から基地局またはリレー局までの通信リンクを指す。
【００３７】
図１で示される例では、基地局１１０は、リレー局１２０を介して加入者局と通信することができる。ダウンリンク上で、基地局１１０は、リレー局１２０に対して加入者局１３０についてのデータを送信することができ、リレー局１２０は、加入者局１３０に対してデータを再送信することができる。アップリンク上で、加入者局１３０は、リレー局１２０に対してデータを送信することができ、リレー局１２０は、基地局１１０に対してデータを再送信することができる。基地局１１０と加入者局１３０はまた、互いに直接通信することができる。
【００３８】
基地局１１０はまた、リレー局１２２および１２４を介して加入者局１３２と通信することができる。ダウンリンク上で、基地局１１０は、リレー局１２２に対して加入者局１３２についてのデータを送信することができ、リレー局１２２は、リレー局１２４に対してデータを再送信することができ、そしてリレー局１２４はさらに、加入者局１３２に対してデータを再送信することができる。アップリンク上で、加入者局１３２は、リレー局１２４に対してデータを送信することができ、リレー局１２４は、リレー局１２２に対してデータを再送信することができ、リレー局１２２はさらに、基地局１１０に対してデータを再送信することができる。基地局１１０は、加入者局１３２と直接通信可能でないことがあり、加入者局１３２との通信のために１つまたは複数のリレー局に依存しうる。
【００３９】
図１は、基地局１１０と加入者局１３０との間の２ホップ通信の例を示す。図１はまた、基地局１１０と加入者局１３２との間の３ホップ通信の例を示す。一般に、基地局と加入者局は、任意の数のホップを介して通信することができる。次の説明では、与えられた局という観点から、アップストリーム局は、基地局へのアップストリームパスにおける局であり、ダウンストリーム局は、加入者局へのダウンストリームパスにおける局である。
【００４０】
マルチホップリレーシステムにおける専用制御チャネルの例示的割り付け(Exemplary Allocation of Dedication Control Channels in Multi-Hop Relay System)
マルチホップリレーシステムのリレー局（ＲＳ）は、一般的に、リレー管理を目的に、基地局（ＢＳ）に対して大量の制御メッセージを送信する必要がありうる。リレー局と基地局との間の専用制御チャネルの割り付けは、最小時間遅延を伴って制御メッセージをリレー局が送信することを可能にし、したがって、マルチホップリレーシステムの全体的な性能を改善する。専用制御チャネルは、アップリンク制御シグナリングとダウンリンク制御シグナリングを送信する、マルチホップリレーシステムにおける主要な帯域幅リソースでありうる。
【００４１】
図２で図示されるように、専用制御チャネルは、マルチホップリレーシステムにおける通信エンティティのうちのあるペア(certain pairs)間、例えばＢＳ１１０とＲＳ１２２との間、そして、リレー局１２２のペア間で（すなわち、上位リレー局と下位リレー局との間で）割り付けられうる。専用制御チャネルは、加入者局（ＳＳ）１３２の効率的なサービス提供のために、マルチホップリレーシステムにおけるＢＳとすべてのリレー局との間の密結合(tight coupling)を可能にすることができる。
【００４２】
専用制御チャネルは、分散型リソース管理と集中型リソース管理の両方に適用可能でありうる。集中型管理の場合、専用チャネルは、ＢＳに対する制御シグナリング及びデータトラヒックのためのバックホールとしてみなされうる。分散型管理の場合、マルチホップリレーシステムにおける各ＲＳは、シグナリングメッセージを局所的に管理することができ、送信リクエストは、ＢＳのほうへＲＳホップを通過するのに必要なシグナリングメッセージの量をさらに減らすために、アグリゲートされうる。
【００４３】
図３は、マルチホップリレーシステムのこれらの２つの通信エンティティ間で専用制御チャネルを使用して、ＲＳ１２２からサービングＢＳ１１０へと制御メッセージを送信するための例示的なメッセージフローを示す。ＲＳ１２２は、ＲＳ１２２とＳＳ１３２の間のイベントによって生成された管理メッセージを送信することを試みることができる。ＢＳ１１０に最も近いＲＳ１２２のネットワークエントリプロシージャとメッセージスケジューリングの後で、ＢＳ１１０は、図３で図示されるように、ＲＳによる明示的なリクエストなしにＲＳ１２２に対して専用制御チャネルを割り付けることができる。
【００４４】
ＢＳ１１０がＲＳ１２２に対して専用制御チャネルを割り付けない場合には、ＲＳは、リクエストメッセージを送信することによって専用制御チャネルの割り付けを明示的にリクエストすることができる。必要である場合には、ＢＳ１１０は、ＲＳからのリクエストなし専用制御チャネルの割り付けられた帯域幅を終了させる、または、減らすことができる。同様な方法で、専用制御チャネルは、図２で図示されるように、マルチホップリレーシステムの上位ＲＳと下位ＲＳの任意のペア間で割り付けられうる。
【００４５】
マルチホップリレーシステムにおいて各ＲＳに対して専用制御チャネルを割り付けるオーバーヘッドを減らすために、専用制御チャネルは、チャネル帯域幅の期待される需要に基づいて、割り付けられ、そしてリリースされる。例えば、イントラＢＳハンドオーバの場合、ＲＳは、ＳＳがその通信範囲に入っているということをＲＳが検出するときに、専用制御チャネルの割り付けをリクエストすることができ、そして、ハンドオーバプロシージャが完了したあとで専用制御チャネルをリリースすることができる。
【００４６】
マルチホップリレーシステムの専用制御チャネルは、様々な目的のために利用されうる。本開示の一実施形態においては、専用制御チャネルは、マルチホップリレーシステムにおいて通信エンティティをパワー制御するために使用されうる。本開示の別の実施形態の場合、専用制御チャネルの帯域幅リソースは、ＳＳにおけるスリープモードを制御するために利用されうる。さらに本開示の別の実施形態の場合、マルチホップリレーシステムの専用制御チャネルは、マルチキャスト及びブロードキャストサービスに使用されうる。
【００４７】
専用制御チャネルを使用するマルチホップリレーシステムにおける例示的なパワー制御(Exemplary Power Control in Multi-Hop Relay Systems using Dedicated Control Channels)
マルチホップリレーシステムでは、サービングＢＳまたは任意の上位ＲＳは、対応する下位ＲＳまたはＳＳのためにパワー制御コマンドを生成することができる。専用制御チャネルは図２で図示されるようにマルチホップリレーシステムにおいて割り付けられうる、ということが想定されうる。
【００４８】
マルチホップリレーシステムにおいてパワー制御を実行するために、チャネル品質情報（ＣＱＩ）は制御されている通信リンクで知られていることが必要でありうる。さらに、ＣＱＩは対応する通信リンクについてのパワー制御決定を行うマルチホップリレーシステムにおけるすべての通信エンティティに対してブロードキャストされることが必要でありうる。
【００４９】
図４は、マルチホップリレーシステムにおけるパワー制御を目的に、専用制御チャネルを使用するための例示的なオペレーション４００を図示する。サービングＢＳがすべてのアップリンク送信チャネルのパワーを制御する場合には、集中型マルチホップリレーシステムが最初に想定される。
【００５０】
４１０で、ＢＳは、ＢＳによってパワー制御されたアップリンクチャネルに対応するダウンリンクチャネルのＣＱＩを、マルチホップリレーシステムにおける各ＲＳから受信することができる。マルチホップリレーシステムの専用アップリンク制御チャネルは、ＣＱＩをブロードキャストするために使用されうる。４２０で、ダウンリンクチャネルの受信されたＣＱＩに基づいて、ＢＳは、専用ダウンリンク制御チャネルを介して、マルチホップリレーシステムにおける各ＲＳに対して、対応するアップリンクチャネルに関するパワー制御メッセージを送信することができる。アクセスＲＳはまた、そのダウンリンクチャネルを介してＳＳへ、パワー制御メッセージをリレーすることができる。
【００５１】
受信されたパワー制御メッセージに基づいて、マルチホップリレーシステムにおける各ＲＳは、４３０で、その対応するアップリンク伝送パワーを調節することができる。４４０で、ＳＳはまた、アクセスＲＳから受信されたパワー制御メッセージに基づいて、アップリンク伝送パワーを調節することができる。
【００５２】
分散されたパワー制御の場合、マルチホップリレーシステムにおけるＢＳと各ＲＳは、それらが個々にサービス提供するアップリンクチャネルをパワー制御することができる。マルチホップリレーシステムにおける通信エンティティの伝送パワーが個々の上位ＲＳにおいて制御される場合、システムにおける各ＲＳは、ＢＳまたは上位ＲＳのいずれかからアップリンクパワー制御メッセージに応答することができる。従って、ＳＳは、アクセスＲＳからのアップリンクパワー制御メッセージに応答することができる。
【００５３】
図５は、分散型マルチホップリレーシステムにおけるパワー制御のために専用制御チャネルを使用するためのオペレーション５００の例を図示する。この場合のプロセスフローは、集中型マルチホップリレーシステムの図４のプロセスフローと同様であってもよい。唯一の違いは、分散型マルチホップリレーシステムにおけるチャネルは、ＢＳによってのみだけなく、上位ＲＳによってもパワー制御されうるということである。
【００５４】
５１０で、マルチホップリレーシステムにおける各ＲＳは、上位ＲＳによって、または、ＢＳによって、パワー制御されたアップリンクチャネルに対応するダウンリンクチャネルのＣＱＩを、対応する上位ＲＳに対して（またはＢＳに対して）送信することができる。マルチホップリレーシステムの専用アップリンク制御チャネルは、ＣＱＩをブロードキャストするために再び使用されうる。５２０で、受信されたＣＱＩに基づいて、マルチホップリレーシステムにおけるＢＳと各ＲＳは、専用ダウンリンク制御チャネルを介して対応する下位ＲＳに対してパワー制御メッセージをブロードキャストすることができる。各ブロードキャストされたパワー制御メッセージは、対応する上位ＲＳによって、または、ＢＳによって、パワー制御されているアップリンクチャネルに関連することができる。アクセスＲＳはまた、そのダウンリンクチャネルを介してＳＳへ、パワー制御メッセージをリレーすることができる。
【００５５】
受信されたパワー制御メッセージに基づいて、マルチホップリレーシステムにおける各ＲＳは、５３０で、その対応するアップリンク伝送パワーを調節することができる。５４０で、ＳＳはまた、アクセスＲＳからの受信されたパワー制御メッセージに基づいてアップリンク伝送パワーを調節することができる。
【００５６】
専用制御チャネルを使用するマルチホップリレーシステムにおけるモバイル局でのスリープモードの例示的制御(Exemplary Control of Sleep Mode at Mobile Station in Multi-Hop Relay Systems using Dedicated Control Channels)
加入者局（ＳＳ）のスリープモードは、マルチホップリレーシステムの集中型または分散型のスケジューリングのあるところで、サービングＢＳによって集中的に制御されうる。専用制御チャネルは図２で図示されるようにある帯域幅リソースと共にマルチホップリレーシステムにおいて割り付けられうる、ということがこの場合も同様に想定されうる。ＳＳのスリープモードを制御するために、ＭＯＢ＿ＳＬＰ−ＲＥＱ(mobile sleep request)メッセージとＭＯＢ＿ＳＬＰ−ＲＳＰ(mobile sleep response)メッセージは、専用制御チャネルを利用することによって、マルチホップリレーシステムのリレー局を介してＢＳとＳＳとの間でリレーされうる。
【００５７】
図６は、ＳＳにおけるスリープモードを制御するためにマルチホップリレーシステムにおいて専用制御チャネルを使用するための例示的なオペレーション６００を図示する。６１０で、ＳＳは、スリープモードをリクエストするためにアクセスＲＳに対して、ＭＯＢ＿ＳＬＰ−ＲＥＱメッセージを送信することができる。６２０で、ＭＯＢ−ＳＬＰ−ＲＥＱメッセージは、専用アップリンク制御チャネルを使用することによってマルチホップリレーシステムのリレー局を介してリレーされうる。
【００５８】
６３０で、ＢＳに最も近くに配置されたＲＳは、専用制御チャネルのアップリンクを使用することによって、ＢＳへＭＯＢ＿ＳＬＰ−ＲＥＱメッセージをリレーすることができる。６４０で、サービングＢＳは、専用制御チャネルの逆方向リンク（ダウンリンク）を介して最も近いＲＳに対してＭＯＢ＿ＳＬＰ−ＲＳＰメッセージを送信することができる。続いて、６５０で、マルチホップリレーシステムのリレー局は、専用ダウンリンク制御チャネルを介して対応する下位リレー局へ、ＭＯＢ＿ＳＬＰ−ＲＳＰメッセージをリレーすることができる。６６０で、ＳＳは、そのダウンリンクチャネルを介してアクセスＲＳからＭＯＢ＿ＳＬＰ−ＲＳＰメッセージを受信し、受信されたＭＯＢ＿ＳＬＰ−ＲＳＰメッセージに含まれる情報にしたがって、スリープモードに入ることができる。
【００５９】
専用制御チャネルを使用しているマルチホップリレーシステムにおける例示的なマルチキャスト及びブロードキャストサービス(Exemplary Multicast and Broadcast Services in Multi-Hop Relay Systems using Dedicated Control Channels)
図７は、専用制御チャネルを使用することによって、マルチホップリレーシステムにおいてマルチキャスト及びブロードキャストサービス(ＭＢＳ)を実行するための例示的なオペレーション７００を図示する。専用制御チャネルは図２で図示されるようにある帯域幅リソースと共にマルチホップリレーシステムにおいて割り付けられうる、ということがこの場合も同様に想定されうる。マルチホップリレーシステムにおける各ＲＳは、７１０で、ＢＳに対して、ＳＢＣ−ＲＥＱ(Subscriber Station Basic Capability Request)メッセージを送信することによってその処理の遅延を報告することができる。特定のＲＳと、対応する上位ＲＳまたはＢＳとの間の専用アップリンク制御チャネルは、ＳＢＣ−ＲＥＱメッセージを送信するために利用されうる。
【００６０】
７２０で、ＢＳは、それらのポジション及び処理遅延に基づいて、マルチホップリレーシステムにおける各ＲＳの最大累積遅延を決定することができる。続いて、ＢＳは、７３０で、各ＲＳについての待機時間を計算することができ、対応するＳＢＣ−ＲＳＰ(Subscriber Station Basic Capability Response)メッセージをブロードキャストすることによってマルチホップリレーシステムにおける各ＲＳに通知する。マルチホップリレーシステムの専用ダウンリンク制御チャネルは、ＳＢＣ−ＲＳＰメッセージを送信するために利用されうる。
【００６１】
７４０で、ＢＳは、事前の伝送フレームとしてリレーダウンリンクチャネル上でＭＢＳデータを転送することができる。７５０で、マルチホップリレーシステムにおける各ＲＳは、対応する下位ＲＳに事前の伝送フレームを転送することができる。事前の伝送フレームに続き、マルチホップリレーシステムにおけるＢＳとすべてのＲＳは、７６０で、対応するアクセスリンクにわたってＭＢＳデータを同期してトランスファすることができる。
【００６２】
上述された方法の様々なオペレーションは、図の中で示されているミーンズプラスファンクションブロックに対応する様々なハードウェア及び／またはソフトウェアのコンポーネント（単数または複数）及び／またはモジュール（単数または複数）によって実行されうる。例えば、図４で図示されるブロック４１０−４４０は、図４Ａで図示されるミーンズプラスファンクションブロック４１０Ａ−４４０Ａに対応する。同様に、図５で図示されるブロック５１０−５４０は、図５Ａで図示されるミーンズプラスファンクションブロック５１０Ａ−５４０Ａに対応する。同様に、図６で図示されるブロック６１０−６６０は、図６Ａで図示されるミーンズプラスファンクションブロック６１０Ａ−６６０Ａに対応する。同様に、図６で図示されるブロック７１０−７６０は、図７Ａで図示されるミーンズプラスファンクションブロック７１０Ａ−７６０Ａに対応する。より一般的には、対応するカウンターパートのミーンズプラスファンクションの図を有する図の中で図示されている方法がある場合には、オペレーションブロックは、同様な番号付けを伴うミーンズプラスファンクションブロックに対応する。
【００６３】
本開示に関連して説明された様々な説明のための論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）、あるいは他のプログラマブル論理デバイス（ＰＬＤ）、ディスクリートゲートあるいはトランジスタロジック、ディスクリートハードウェアコンポーネント、あるいは、ここにおいて説明された機能を実行するように設計されたそれらの任意の組み合わせ、でインプリメントされうる、あるいは実行されうる。汎用プロセッサは、マイクロプロセッサでありうるが、代替として、プロセッサは、任意の商業的に利用可能なプロセッサ、コントローラ、マイクロコントローラ、あるいはステートマシン(state machine)でありうる。プロセッサはまた、コンピューティングデバイス(computing devices)の組み合わせ、例えば、ＤＳＰとマイクロプロセッサとの組み合わせ、複数のマイクロプロセッサ、ＤＳＰコアと併用しての１つまたは複数のマイクロプロセッサ、あるいは任意の他のそのような構成のもの、としてインプリメントされうる。
【００６４】
本開示に関連して説明された方法またはアルゴリズムのステップは、直接ハードウェアにおいて、プロセッサによって実行されたソフトウェアモジュールにおいて、あるいは２つの組み合わせにおいて、具現化されうる。ソフトウェアモジュールは、当技術分野で知られている任意の形態の記憶媒体に常駐することができる。使用されうる記憶媒体のいくつかの例は、ランダムアクセスメモリ（ＲＡＭ）、読み出し専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭ、などを含む。ソフトウェアモジュールは、単一の命令または多くの命令を備えることができ、いくつかの異なる複数のコードセグメント上で、異なる複数のプログラムの中で、そして、複数の記憶媒体にわたって、分散されうる。記憶媒体は、プロセッサが記憶媒体から情報を読み取ることができ、また記憶媒体に情報を書き込むことができるように、プロセッサに結合されうる。あるいは、記憶媒体は、プロセッサに一体化されうる。
【００６５】
ここにおいて開示される方法は、説明される方法を達成するための１つまたは複数のステップまたは動作を備える。方法のステップ及び/または動作は、特許請求の範囲から逸脱することなく互いに入れ替えられうる。言いかえれば、ステップまたは動作の具体的な順序が指定されていない限り、具体的なステップ及び/または動作の順序及び/または使用は、特許請求の範囲から逸脱することなく修正されうる。
【００６６】
説明された機能は、ハードウェア、ソフトウェア、ファームウェアあるいはそれらのいずれかの組み合わせにおいてインプリメントされうる。ソフトウェアでインプリメントされる場合には、機能は、コンピュータ可読媒体上で、１つまたは複数の命令として、記憶されうる。記憶媒体は、コンピュータによってアクセスされうる、任意の利用可能な媒体でありうる。限定ではなく例として、そのようなコンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令またはデータストラクチャの形態で望まれるプログラムコードを保存または搬送するために使用されうる、また、コンピュータによってアクセスされうる、任意の他の媒体、を備えることができる。ここに使用されるように、ディスク(disk)とディスク(disc)は、コンパクトディスク(compact disc)(ＣＤ)、レーザーディスク(登録商標)(laser disc)、光学ディスク(optical disc)、デジタル汎用ディスク(digital versatile disc)(ＤＶＤ)、フロッピー(登録商標)ディスク(disk)およびブルーレイディスク(blu-ray disc)を含んでおり、「ディスク(disks)」は、大抵、データを磁気で再生しているが、「ディスク(discs)」は、レーザーで光学的に再生する。
【００６７】
ソフトウェアまたは命令はまた、送信媒体上で送信されうる。例えば、ソフトウェアがウェブサイト、サーバ、あるいは、同軸ケーブル、光ファイバーケーブル、ツイストペア(twisted pair)、デジタル加入者ライン(digital subscriber line)（ＤＳＬ）、あるいは赤外線、無線、およびマイクロ波のような無線技術を使用している他の遠隔ソース、から送信される場合には、そのときには、同軸ケーブル、光ファイバーケーブル、ツイストペア、ＤＳＬ、あるいは赤外線、無線、およびマイクロ波のような無線技術は、伝送媒体の定義に含まれる。
【００６８】
さらに、ここにおいて説明される方法及び技術を実行するためのモジュール及び/または他の適切な手段は、ダウンロードされうる、および／または、そうでない場合には、規定どおりに(as applicable)ユーザ端末および／または基地局によって得られることができる。例えば、そのようなデバイスは、ここにおいて説明される方法を実行するための手段のトランスファを容易にするためにサーバに結合されうる。あるいは、ここにおいて説明される様々な方法は、記憶手段（例、ＲＡＭ、ＲＯＭ、コンパクトディスク（ＣＤ）またはフロッピーディスクのような物理記憶媒体等）を介して提供されうるので、ユーザ端末及び／または基地局は、デバイスに記憶手段を結合するまたはデバイスに提供するときに、様々な方法を得ることができる。さらに、デバイスに対してここにおいて説明される方法及び技術を提供するための任意の他の適切な技術が利用されうる。
【００６９】
本願の請求項は、上記で図示される厳密な構成及びコンポーネントに限定されていないということは理解されるべきである。様々な修正、変更、及び変形は、特許請求の範囲から逸脱することなく、上述される方法及び装置の配置(arrangement)、オペレーション及び細部において行われることができる。
【図１】
2012514959.tif 000003
【図２】
2012514959.tif 000004
【図３】
2012514959.tif 000005
【図４】
2012514959.tif 000006
【図４Ａ】
2012514959.tif 000007
【図５】
2012514959.tif 000008
【図５Ａ】
2012514959.tif 000009
【図６】
2012514959.tif 000010
【図６Ａ】
2012514959.tif 000011
【図７】
2012514959.tif 000012
【図７Ａ】
2012514959.tif 000013
【国際調査報告】
2012514959.tif 000014
2012514959.tif 000015
2012514959.tif 000016
2012514959.tif 000017
2012514959.tif 000018